(57)【特許請求の範囲】
【請求項１】
所定間隔を置いて起立設置した複数のＵ字形になる縦気筒と該縦気筒の間に棟木気筒及び軒桁気筒を水平に設けてなる骨組構造において、前記縦気筒の梁部の左右対称する位置に梁部を支持する直長気筒になる間柱を起立設置し、長手方向の間柱と間柱の間に隔壁を着脱自在に設けて長手方向の中央通路を仕切り形成し、この中央通路を挟んで前面側及び後面側に分ける空間を形成し、これら前後面側のそれぞれの空間は各間柱と支柱部との間毎に仕切壁を着脱自在に設けて規則的に連続する多数の小空間に区画する小室を形成自在せしめたことを特徴とする空気膨脹型簡易ハウスの骨組構造。
【請求項２】
所定間隔を置いて起立設置した複数のＵ字形になる縦気筒と該縦気筒の間に棟木気筒及び軒桁気筒を水平に設けてなる骨組構造において、前記縦気筒は、所望の設計重量の範囲内で、梁部を緩い勾配にして柱部の間隔を広げると共に該梁部の左右対称する位置に梁部を支持する直長気筒になる間柱を起立設置し、長手方向の間柱と間柱の間に隔壁を着脱自在に設けて長手方向の中央通路を仕切り形成し、この中央通路を挟んで前面側及び後面側に分ける空間を形成し、これら前後面側のそれぞれの空間は各間柱と支柱部との間毎に仕切壁を着脱自在に設けて規則的に連続する多数の小空間に区画する小室を形成自在せしめたことを特徴とする空気膨脹型簡易ハウスの骨組構造。
【請求項３】
前記隔壁及び仕切壁は、織布からなり、吊り具又はチャック等の連結具により骨組みに着脱自在に設置してなる請求項１又は２記載の空気膨脹型簡易ハウスの骨組構造。
【発明の詳細な説明】
【０００１】
【発明が属する技術分野】
本発明は、空気を充填することによって展張する空気膨脹型簡易ハウスの骨組構造に関するもので、特に、従来のハウスの設計重量の範囲内で、ハウスを幅方向へ広げて床面積を拡大した大型化を可能にした骨組構造にすると共にハウス内部を小空間に仕切る多数の小室を形成自在に構成したものである。
【０００２】
【従来の技術】
従来空気を充填することによって膨脹展張する空気膨脹型簡易ハウスは、格納、搬送、設営、撤去等が至便なため、災害や、事故の発生現場、或いは種々の催物会場等で多く使用されている。このような空気膨脹型簡易ハウスには種々のものがあるが、一般には、所定間隔を置いて起立設置した逆Ｕ字形を呈する複数の縦気筒とこの縦気筒の間に棟木及び軒桁若しくは桟として直長の気筒になる横気筒を水平に架設して骨格を骨組み形成し、この骨格全体に天幕を覆って形成し、空気を充填するだけで骨格が膨脹形成され、この骨格の膨脹に伴って天幕も展張される構造のものが普通一般に提供されている。
近年では、この種の空気膨脹型簡易ハウスの用途も多様になり、それに伴って、床面積の拡大化や、ハウス内部を多数の小空間に間仕切りする等の種々の要求がされるようになった。
【０００３】
【発明が解決しようとする課題】
しかしながら、空気膨脹型簡易ハウスは、搬送、設営、撤去、移動等が手作業で容易迅速に行うことができるような軽量で、扱いが手軽に行えるためには、重さは１００ｋｇに満たない構造物である必要があり、それ故に、骨格を形成する気筒の太さや長さ及び気筒の内圧等を重量１００ｋｇの範囲内に納まるように設計されていて、その床面積は精々が２０ｍ２が限界になっている。しかも、骨格は、空気圧のみに頼った骨組構造であるために、特に、積雪や雨等により外部荷重を受けた場合、Ｕ字形の縦気柱は、梁部が最も座屈し易いために、梁部を急勾配にして気圧低下に対して骨格の強度を維持できる形状にしてある。それ故に、ハウスの横幅を広げることは梁部の強度を維持するために気筒の内圧に限界があり、骨格にカーテン等を吊り下げて間仕切りするには強度上の余裕はないので、ハウスの内部全体は一つの空間とする骨格構造に形成せざるを得ない構造体であり、また、これ以上の床面積を拡大するような大型化には限界があった。
【０００４】
また、従来の骨組構造では、ハウスの内部全体を一つの空間として形成しているので、災害時の避難所として使用する場合に、小空間に間仕切りした小室の形成が要求され、或いは、催物会場の集合店舗として使用するときに小空間に仕切られた複数のブースを要求されるようになって来ている。
このような要求に対して、衝立等の家具類を使用した場合、室内は然程広くないのでその家具が室内を狭くして邪魔になる。そこで、ハウス内部をカーテンで仕切ることが考えられるが、現在の縦気筒の太さ等の設計構造から計算して、縦気筒の梁部にカーテン類を吊り下げることは、梁部がカーテン類の重量に抗して座屈しない強度を維持するには気筒の内圧に限界がある。仮に、縦気筒を太くすれば剛性を多少高めることができるとしてもハウス内部を狭くするばかりでなくハウス全体の重量が増加することになり、現在の骨組構造では、全体を一つの空間とするだだっ広いだけで使い勝手が悪くても我慢するよりなく、これらの要求に応えることができ得ない等の課題があった。
【０００５】
本発明は、上記の課題に鑑みてなされたものであって、その目的とするところは、ハウスが要求される設計重量の範囲内で、ハウスの横幅を広げて床面積を拡大する大型化を可能にし、更にハウスの内部を布製の仕切壁等により多数の奥行きのある小空間に仕切ってハウスの用途を更に広げることを可能とした空気膨脹型簡易ハウスの骨組構造を提供しようとするものである。
【０００６】
【課題を解決するための手段】
上記目的を達成するために、本発明に係る空気膨脹型簡易ハウスの骨組構造は、所定間隔を置いて起立設置した複数のＵ字形になる縦気筒と該縦気筒の間に棟木気筒及び軒桁気筒を水平に設けてなる骨組構造において、前記縦気筒の梁部の左右対称する位置に梁部を支持する直長気筒になる間柱を起立設置し、長手方向の間柱と間柱の間に隔壁を着脱自在に設けて長手方向の中央通路を仕切り形成し、この中央通路を挟んで前面側及び後面側に分ける空間を形成し、これら前後面側のそれぞれの空間は各間柱と支柱部との間毎に仕切壁を着脱自在に設けて規則的に連続する多数の小空間に区画する小室を形成自在せしめてなる。
【０００７】
また、Ｕ字形になる前記縦気筒は、所望の設計重量の範囲内で、梁部を緩い勾配にして柱部の間隔を広げると共に該梁部の左右対称する位置に梁部を支持する直長気筒になる間柱を起立設置してなるのが好ましい。
【０００８】
前記隔壁及び仕切壁は、織布からなり、吊り具又はチャック等の連結具により骨組みに着脱自在に設置してなるのが好ましい。
【０００９】
また、天幕は骨格の天面部のみに設けてなり、又は、天面部及び左右側面並びに前後面全体に天幕を被覆設置してなる。
【００１０】
【発明の実施の形態】
本発明の実施の形態の一例を図面に基づいて説明すると、図１は隔壁を設けた状態の空気膨脹型簡易ハウスの骨組構造を一部切欠して示す斜視図、図２はその正面図、図３はその平面図、図４はその側面図で、本発明のハウスＨは、左右の柱部１ａ及び左右の梁部１ｂを一連一体に連続して逆Ｕ字形の縦気筒１を形成し、該縦気筒１を一定間隔を置いて複数本を配置設置し、これら縦気筒１の間に直長の気筒になる棟気筒２及び軒桁気筒３を水平に架設設置し、前記縦気筒１は左右の梁部１ｂ、１ｂを支持する直長の気筒になる２本の間柱４ａ，４ｂを起立設置して骨格５を形成する。前記各列の間柱４ａ，４ａの間、及び間柱４ｂ，４ｂの間に隔壁６を設けて、ハウスＨの長手方向の中央通路７を形成する。そして、前記中央通路７を挟む前面側及び後面側の空間には、各縦気筒１の柱部１ａと間柱４ａの間に仕切壁８ａを設け、同じく各縦気筒１の柱部１ａと間柱４ｂの間に仕切壁８ｂを設けて、複数の縦気筒１を単位として隔壁６及び仕切壁８ａ及び隔壁６及び仕切壁８ｂによって仕切られて規則的に連続する複数の小空間９ａ，９ｂが中央通路７を挟んで両面側にそれぞれ形成することにより構成する。
【００１１】
前記縦気筒１は、図４に示すように、梁部１ｂの勾配を緩くすることにより、ハウス重量が１００ｋｇとなる設計構造の範囲内で、即ち、従来の縦気筒１の太さと全体長及び内圧を変更せずに、横幅を広げるのみにより床面積を拡大し、図４及び図７に示すように、中央通路７を確保しつつ該通路７を挟む前面側及び後面側に奥行きのある空間を形成することができるようにする。
なお、前記縦気筒１、棟気筒２、軒桁気筒３及び間柱４ａ，４ｂは、ゴム引布又は樹脂加工布のような気密性のある可撓性材料からなり、前記複数の縦気柱１はグランドシート１０の上に固定設置され、又、複数の間柱４ａ，４ｂはグランドシート１０に固定設置すると共に上端を縦気筒１の梁部１ｂに接続設置せしめられる。
【００１２】
前記隔壁６及び仕切壁８ａ，８ｂは、織布からなり、図８〜図１４に示すように、縦気筒１及び間柱４ａ，４ｂにチャック、スパイラルファスナー、ベルベットファスナー、ボタン等の適宜止着具１１又は吊り手１２等を設けることにより骨格５に着脱自在に設置される。そして、これらの隔壁６及び仕切壁８ａ，８ｂは、図８乃至図１３に示すように、骨格５から取り外して独自に折り畳み格納できるようにするのが好ましい。しかし、これらの隔壁６及び仕切壁８ａ，８ｂを骨格５と一体に折り畳むことも可能である。
【００１３】
前記隔壁６は、左右側縁のみに、例えば一対になる一方のチャックを設けて形成し、間柱４ａ及び４ｂには他方のチャックを設けて着脱自在に設置すると共にこれらの隔壁５を縦気筒１の梁部１ｂから吊テープ１２により吊り下げ保持される。また、前記仕切壁８ａ，８ｂは、下縁を除く周縁に例えば一対になる一方のチャックを設けて形成し、骨格５には縦気筒１の柱部１ａから梁部１ｂ及び間柱４ａ，４ｂに沿って他方のチャックを設けて着脱自在に設置する。
【００１４】
なお、前記仕切壁８ａ，８ｂは、図１４に示すように、左右側縁のみに例えば一対になる一方のチャックを設けて形成し、骨格５には縦気筒１の柱部１及び間柱４ａ，４ｂに他方のチャックを設けて着脱自在に設置すると共にこれらの仕切壁８ａ，８ｂを縦気筒１の梁部１ｂから吊テープ１２により吊り下げ保持することもできる。
また、前記隔壁６は中央通路７へ出入自在にする扉部１３を有し、この扉部１３は、例えば面ファスナー或いはチャックのような止着具により容易に巻き上げ自在せしめて形成し、各小室９ａ又は９ｂから中央通路７へ容易に出入自在にせしめるのが好ましい。
【００１５】
図１５は、本発明の骨格５の全体、即ち天面、左右及び前後側面を天幕１４で完全に覆って使用することもできるし、また、図１６に示すように、骨格５の天面のみを天蓋１５で覆って使用することもできる。
【００１６】
【発明の効果】
本発明は上記のような構成であるから、ハウスの重量が１００ｋｇの範囲内に収まる設計構造体において、縦気筒の梁部を間柱で支持することにより、外部荷重を受けて座屈を最も生じ易い梁部に剛性を与え、縦気筒の梁部の勾配を緩くして縦気筒の左右の支柱間を広げることにより床面積を拡大し、ハウスの横幅を広くして中央通路及び該中央通路で分ける前面側及び後面側に奥行きのある空間を確保することを可能にし、そして、前後面側の空間に設けた隔壁及び仕切壁を吊り下げ設置しても座屈を生じることなく維持することができ、しかも、勾配を緩くすることで天面が低くなって天井部分に対する種々付属品の設置等の扱いを容易にし、ユーザーの多くの要求をほぼ満足させることを可能にする等の効果を奏する。
【図面の簡単な説明】
【図１】本発明の空気膨脹型簡易ハウスの骨組構造を示す斜視図である。
【図２】本発明の空気膨脹型簡易ハウスの骨組構造の正面図である。
【図３】本発明の空気膨脹型簡易ハウスの骨組構造の平面図である。
【図４】本発明の空気膨脹型簡易ハウスの骨組構造の側面図である。
【図５】図３のＶ−Ｖ線断面図である。
【図６】図３のＶＩ−ＶＩ線断面図である。
【図７】図４のＶＩＩ−ＶＩＩ線断面図である。
【図８】本発明の空気膨脹型簡易ハウスの骨組構造の隔壁及び仕切壁を取り外して示す正面図である。
【図９】本発明の空気膨脹型簡易ハウスの骨組構造の隔壁及び仕切壁を取り外して示す平面図である。
【図１０】本発明の空気膨脹型簡易ハウスの骨組構造の隔壁及び仕切壁を取り外して示す側面図である。
【図１１】図９のＸＩ−ＸＩ線断面図である。
【図１２】図９のＸＩＩ−ＸＩＩ線断面図である。
【図１３】図１０のＸＩＩＩ−ＸＩＩＩ線断面図である。
【図１４】本発明の空気膨脹型簡易ハウスの縦気柱に仕切壁を吊るし設置した状態を示す縦断面図である。
【図１５】本発明の空気膨脹型簡易ハウスの骨組構造の全体を天幕で覆った使用状態を示す斜視図である。
【図１６】本発明の空気膨脹型簡易ハウスの骨組構造の天面部分のみを天蓋で覆った使用状態を示す斜視図である。
【符号の説明】
Ｈ        ハウス
１        縦気筒
１ａ      柱部
１ｂ      梁部
２        棟気筒
３        軒桁気筒
４ａ、４ｂ    間柱
５        骨格
６        隔壁
７        中央通路
８ａ，８ｂ    仕切壁
９ａ，９ｂ    小空間
１０      グランドシート
１１      止着具
１２      吊り手
１３      扉部
１４      天幕
１５      天蓋
【図１】
0004210883.tif 000002
【図２】
0004210883.tif 000003
【図３】
0004210883.tif 000004
【図４】
0004210883.tif 000005
【図５】
0004210883.tif 000006
【図６】
0004210883.tif 000007
【図７】
0004210883.tif 000008
【図８】
0004210883.tif 000009
【図９】
0004210883.tif 000010
【図１０】
0004210883.tif 000011
【図１１】
0004210883.tif 000012
【図１２】
0004210883.tif 000013
【図１３】
0004210883.tif 000014
【図１４】
0004210883.tif 000015
【図１５】
0004210883.tif 000016
【図１６】
0004210883.tif 000017